(57)【要約】      （修正有）【課題】マンション、一般住宅や事務所の窓からの光の遮断はカーテンやブラインドを設けなければならず、紫外線カットや断熱はフイルムシートを別途ガラスに張り付ける必要があるが、本考案は採光、調光、断熱し、カーテンに代わるデザイン化した光の遮断機能等を有するスクリーンパネルを提供するものである。【解決手段】採光、調光、断熱し、カーテンに代わるデザイン化した光の遮断機能等を有するロールスクリーン付の多用途窓。【選択図】図１
2017020320.tif 000002
【特許請求の範囲】
【請求項１】
アルミサッシ１の中に、４上部回転ローラー軸、５、下部ローラー回転軸６、上部回転ホイール、７、下部回転ホイール  ８ゴム紐  ９、軸受を組み込み、そのスクリーンを複数枚連結して、２のスクリーンパネルを手で動かす事によって、その複数枚のパネルの中から自分の好きなパネルを窓に固定するようにし、又パネルを簡単に交換できる構造と考案
【請求項２】
２のスクリーンパネルを三種類に分け、２−（１）透明採光ぱねる、２−（２）光遮断パネル、２−（３）調光パネルを選択可能にし、且つ（２）、（３）のパネルに前記したデザイン、
２−（２）はカラフルな抽象デザイン、有名絵画、風景写真、子供部屋用のデザイン等々、を選択可能にし、
２−（３）の調光パネルは半透明（透かし）として、、格子、ステンドグラス、横細溝、伊勢型紙、風景写真等のデザインを利用し選択出来る用にして、自分で好みのパネルを選び、連結して窓部を楽しいインテリアグッズに替える考案。
【発明の詳細な説明】
【技術分野】
【０００１】  本発明は、現在の窓とロールスクリーンを組み合わせて一体化し、窓をより多用途にする考案である。
【背景技術】
【０００２】マンション、一般住宅や事務所の窓は、採光、採光の遮断、調光、断熱、通気等の様々な性能が要求される。その目的を達成する為に窓にはガラスがはめられ、レールによって  開閉し、カーテンやブラインドで採光を遮断する。しかし室内から見る窓は無機質で、外部の景色を除いては、ガラスの性質通り何の味わいもない。
又、窓ごしに借景可能な家はかなりの豪邸に限られており、およそ大半の窓は単なる、明りとりであり、この世に窓が出現して以降唯一まったく進化していない、珍しい製品である。
本考案は窓を多目的化して、窓自身で視覚的に美化し、採光し、遮断し、調光してカーテンやブラインドを不要にして、人々が窓を楽しめる様に考案したものである。
【発明の概要】
【発明が解決しようとする課題】
【０００３】  前記の様に、現在の窓はまったく進化しておらず、室内のインテリアに対する人々の意識が高まり、美しいカーテンや家具、照明器具等の調度品をアレンジして部屋の雰囲気を楽しんでいるのに。その中で窓だけは取り残され、無機質なままである。マンションも一般住宅の窓も単なる明かりとりとしか考えられていない。
又現在は光の遮断はカーテンやブラインドを設けなければならず、紫外線カットや断熱はフイルムシートを別途ガラスに張り付ける必要がある。
本考案は窓そのものが、採光、調光、断熱し、カーテンに代わるデザイン化した光の遮断機能等を有するように考案したものであり。窓が必要とされる全ての機能を自身が備え、且つ室内インテリアに合う美しいデザインをスライドできるスクリーンパネルで実現したものである。【０００４】前記の問題により、本考案は窓を進化させ、窓をもっと楽しめるようにした物であるが、問題はそのコストである。
折角の考案であっても、商品化不可能な構造や大幅に製造コストが増加しては、全く意味がない。本考案では実現可能な簡単な構造としてコスト増を下記説明通り実現した。【０００５】  本発明は前記事情を考慮し、既存の問題点を解決し、多用途で美しい窓を提供する目的で考案したものである。
【課題を解決するための手段】
【０００６】本発明は前述した既存製品の問題点を解決する為の、ロールスクリーン付き多用途窓を図１、２に述べるように考案した。
【発明の効果】
【０００７】    本発明により窓を多用途化し、カーテンやブラインドを不要にしてより美しく、楽しい窓を提供して既存の製品の問題点を解決する事が出来る。
又窓そのものを、進化させる事が出来る。
【図面の簡単な説明】
【００８】
【図１】ロールスクリーン付き窓の構造
【図２】スクリーンパネルの展開図
【発明を実施するための形態】
【００９】  以下図１、２、を参照して、本発明に関わるロールスクリーン付き多用途窓について説明する。
【００１０】  図１に記述の如く、本装置の基本部品は下記にて構成される。
１、アルミサッシ（窓枠）２、スクリーンパネル  ３、ガラス
４．上部回転ローラー軸、５、下部回転ローラー軸    ６、上部回転ホイール
７、下部回転ホイール    ８、ゴム紐    ９、軸受    １０、サイドプレート
図２：２−（１）  採光パネル（透明）    ２−（２）光遮断パネル
２−（３）調光パネル（光量減少）
（１）作動説明：
アルミサッシ内には前記、４、５の上、下部回転ローラー軸、６、７の上、下部回転ホイール、８、ゴム紐  ９、軸受でで構成されたスクリーンの移動装置により、自分で選択したスクリーンパネルを所定の窓位置に移動設定出来る。
スクリーンパネルのスライドはパネル表面を手で下へ動かす事により８、ゴム紐で連結された６，７の上、下部回転ホイールは回転して２のスクリーンパネルをスライドさせる事が出来る。
この考案では２のスクリーンパネルは下記の機能の違う２〜３枚を繋ぎ合わせて一組として、４，５の上下部ローラー軸に巻き取られていて、常に窓ガラスに面する一枚のパネルがその機能を発揮している。
パネルは透明パネル（下記説明）、調光パネル（下記説明）、光遮断パネル（下記説明）からなり、夫々の目的により自分でパネルを選択出来る。
（２）スクリーンパネルの種類
２のスクリーンパネルは（１）透明パネル、完全に透明なパネルを窓に面して固定して、光を１００％採光する。
（２）の光遮断パネルは不透明とし、カーテンやブラインドと同じく完全に光を遮断する。この時室内に面する面はカラフルな抽象デザイン、有名絵画、風景写真、子供部屋用のデザイン等々、室内インアテリアを楽しめる様に様々なデザインのパネルを自分の好みや部屋の雰囲気に合わせて選択する事が出来る。
（３）の調光パネルは半透明（透かし）、格子、ステンドグラス、横細溝、、自然風景、伊勢型紙等のデザインとして、そのパネルを選ぶ事で希望する光量のパネルを選択出来る。
本考案の基本は自分で好みのパネルを選び、連結して窓部を楽しいインテリアグッズに替え、尚、窓の機能を維持する所にある。
又、部屋の模様替えに際しても、新しいデザインのパネルに簡単に交換出来るように考案されている。
（３）スクリーンパネルの交換
図１−１０のサイドプレートはねじ止めで取り外せる構造になっているので、このプレートを外すと、図２−４−８の全てが一式サッシの横側面から取り外せる。
この構造により、自分で好みのパネルに自由に交換できる。
（４）本考案により、カーテンやブラインドは不要になる。
（５）スクリーンパネルの材質はプラスチックフイルム又はシートとして紫外線カットと遮熱（赤外線カット）はこの材質で達成可能とする。
【産業上の利用可能性】
【００１１】  前述した既存の窓は長い間、全く進化していない。
今や時代が変わり、大半の日本人は室内インテリアを楽しむ時代である、本考案は既に説明した進化した、時代の要求に合った窓を提供する事で新たな二―ズを生み、産業界に貢献するものである。
【先行技術の開示及び対比説明】
【００１２】（１）文献名：
文献１：ウエブサイト：
ｗｗｗ．ｗｉｋｉｐｅｄｉａ．ｏｒｇ／ｗｉｋｉ／サッシ
文献２：ウエブサイト：
ｗｗｗ．ｔｏｓｏ．ｃｏ．ｊｐ
（２）対比説明
既存のアルミサッシについては文献１参照の事。
又既存のロールスクリーンについては文献２参照の事。
基本的にアルミサッシの中にロールスクリーンを組み込む発想は他になく、対比困難であるがその比較は既に前記にて詳述されている。
【符号の説明】
【００１３】１、アルミサッシ（窓枠）
２、スクリーンパネル
２−（１）透明パネル、
２−（２）光遮断パネル
２−（３）調光パネル
３、ガラス
４．上部回転ローラー軸、
５．下部回転ローラー軸
６、上部回転ホイール
７、下部回転ホイール
８、ゴム紐
９、軸受
１０、サイドプレート
【図１】
2017020320.tif 000003
【図２】
2017020320.tif 000004